(57)【特許請求の範囲】
【請求項１】
かつら本体の裏面に等間隔に形成され、かつら本体を貫通している多数の開口部の中から選択した任意の２個に、かつら用止着部材の長手方向の前後に形成され、細い首部を備えた突起を着脱可能に係合して成ることを特徴とするかつら。
【請求項２】
前記開口部は、丸穴であることをことを特徴とする請求項１に記載のかつら。
【請求項３】
前記開口部は、ネットであることをことを特徴とする請求項１に記載のかつら。
【請求項４】
前記かつら用止着部材は、薄板部材で構成された枠体と、該枠体から立設された櫛歯状部材とを有し、前記枠体を湾曲反転させる事により櫛歯状部材を枠体と接触させることを特徴とする請求項１記載のかつら。
【請求項５】
前記突起は、円形であることを特徴とする請求項１記載のかつら。
【請求項６】
前記枠体は、コ字状の薄板と、やや短い細幅片を加締めて結合したことを特徴とする請求項５記載のかつら。
【請求項７】
前記細幅片には、滑り止め部材が取り付けられていることを特徴とする請求項６記載のかつら。
【発明の詳細な説明】
【０００１】
【発明の属する技術】
本発明はかつらに関し、特に頭部が部分的に薄くなったり、脱毛状態となった場合に、残存する頭髪で頭部に留める為のかつらに関するものである。
【０００２】
【従来の技術】
一般に、かつらを頭部に取り付ける手段として、糊付け法、両面テープ法、自分の頭髪に結着する方法、クリップ止めする方法等が存在する。
例えば、クリップ止めするものとして、実公昭５６−２３２９４号のようにかつらの内側面に止着部材を固着手段によって固定する方法が提案されていた。また、実開平２−１０６４３０号のようにかつらの裏面に止着部材を係合手段で固定する構造のものが提案されていた。
【０００３】
しかし、クリップによって長期に亘って特定位置における頭髪ばかりを結着に使用すると、どうしても毛抜けが生じ、所謂クリップ禿が生じる欠点が存在した。これは、従来は、クリップをかつらの特定部位に縫着するかまたは、止め金具等で固定していた為に、簡単にクリップの位置を変える事ができなかったからであった。
【０００４】
これらの欠点を解決するものとして、実開平２−１１１１７号に記載された様に、かつらベースの周囲に沿って、多数のループを配設し、適宜のループを選んでクリップを係止し、クリップの位置を頻繁に変更できるようにしたものが提案されている。
【発明が解決しようとする課題】
しかし、上記のループによるかつら用止着部材を使用したかつらでは、以下のような問題点を有していた。
即ち、ループでの止着部材の固定は、不安定で抜けやすく確実なかつらの保持は困難であった。したがって、ループの他に、糸による縫着等の他の補足的な固着手段が必要であった。
【０００５】
そこで本発明の目的は、上記した従来の欠点を改良するべく、移動が容易でしかも確実な固定ができるかつらを提供することにある。
【０００６】
【課題を解決するための手段】
本発明は上記課題を解決するため、基本的に以下に記載されたような構成を採用するものである。すなわち本発明に係る第１の態様としては、かつら本体の裏面に等間隔に形成され、かつら本体を貫通している多数の開口部の中から選択した任意の２個に、かつら用止着部材の長手方向の前後に形成され、細い首部を備えた突起を着脱可能に係合して成ることを特徴とするものである。
【０００７】
【発明の実施の形態】
本発明のかつらは、上記した様な従来技術に於ける問題点を解決する為、かつら本体の裏面に形成された複数の開口部の中から選択した任意の２個に、かつら用止着部材の長手方向の前後に形成された突起を着脱可能に係合したので、止着部材の位置を頻繁に変更し、クリップ禿を防止する事が出来る。
【０００８】
【実施例】
以下に、本発明に係るかつらの一具体例の構成を図面を参照しながら詳細に説明する。図１は、本発明に係るかつらの一実施例を示す平面図である。ここで、かつらは、かつら本体の裏面に形成された複数の開口部の中から選択した任意の２個に、かつら用止着部材９の長手方向の前後に形成された突起１２を着脱可能に係合して成る。また、かつら用止着部材９は、薄板部材で構成された枠体１０と、該枠体１０から立設された櫛歯状部材１１と、前記枠体１０の長手方向の前後に形成された円形状突起１２とを有している。特に、枠体１０は、薄板状の弾性金属板、合成樹脂等から構成されている。
【０００９】
また、枠体１０は、コ字状の薄板１０ａと、やや短い細幅片１０ｂを加締め１３等で結合した不等辺枠体である。したがって、枠体１０を湾曲反転させる事により離隔していた櫛歯状部材１１を枠体１０と接触させることができる。
【００１０】
細幅片１０ｂには、軟質の合成樹脂等から成る滑り止め部材を取り付けてもよい。また、円形状突起１２は、ほぼ円形をしており、首部１２ａが細く形成されている。また、円形状突起１２には、中央に孔を形成してもよい。更に、当該突起１２の形状は、三角、四角などの他の形状でも良い。
【００１１】
次に、以上の様な構成のかつらの使用法について図２，３、４を参照して説明する。先ず、かつら本体１４の裏面には、ポリウレタン等の合成樹脂でできた部材に多数の止着孔１５が等間隔で形成されている。この止着孔１５の中から適当な位置にあるものを選択し、円形状突起１２を止着孔１５に填め込む。この時、かつら用止着部材９は、薄板で構成されているので、全体を湾曲させて、両端の円形状突起１２の距離が近づく様にしてから填め込むと、しっかりと填め込む事ができる。
【００１２】
図４に示す様に、かつら用止着部材９の両端に形成された円形状突起１２は、弾性力によって元の長さに復帰し、かつら本体１４の止着孔１５から外れる虞がない。図４は、本発明のかつら用止着部材と係止孔との寸法関係を示す説明図である。円形状突起１２は、止着孔１５の裏側にしっかり係合して、かつら本体１４に安定保持される。
【００１３】
このようにして取り付けられた、かつら用止着部材９は、図１に示す様に、かつら本体１４に複数個取り付けられて使用される。したがって、止着部材９の取り付け位置を止着孔１５を選択することにより、自由に変更する事ができる。
このため、かつら内面のかつら用止着部材の位置を好みの箇所に取り付け固定する事ができる。
したがって、かつら使用者の頭髪及び禿具合の状況に合わせて最適な部位に簡便に移動できる。
【００１４】
図６、７は、本発明のかつら用止着部材９をかつら内面のネット１６に取り付け場合を示す要部裏面図である。この様に、かつら用止着部材９は、かつらの裏面がネット１６である女性用のかつらであっても使用する事ができる。
【００１５】
ネット１６の網目は、適宜な位置を選択してかつら用止着部材９の円形状突起１２を取り付ける事ができる。
【００１６】
尚、本発明は以上の実施例に限ることなく本発明の技術思想に基づいて種々の設計変更が可能である。
【００１７】
【発明の効果】
第一の効果は、かつらの止着部材の取り付け位置を自由に変更する事ができるので、かつら内面の取り付ける位置、場所を選ばず、好みの箇所に取り付け固定する事ができる。
したがって、かつら使用者の頭髪及び禿具合の状況に合わせて最適な部位に簡便に移動して取り付ける事ができる。
つまり、かつらの使用者が特定の部位の頭髪のみを使用して、かつらを固定していると、特定の部位の頭髪が脱毛してしまう現象を未然に防止する事ができる。
【００１８】
第二の効果は、かつらの止着部材の両端の円形突起部がポリウレタン等の合成樹脂製のかつら本体に形成された多数の孔、或るいは、かつら内面のネットの網目に填り込み固定する事ができる。したがって、円形突起部の形状、寸法を適宜変更する事により、各種の男性用或るいは女性用かつらに対応する事ができる。
【００１９】
第三の効果は、従来の合成樹脂を多用したかつらは、通気性に乏しく、蒸れやすかったが、本発明のかつらでは止着部材を取り付けるための、多数の孔が通気性を確保し、頭部の蒸れを防止すると共に安価なかつらを提供する事ができる。
【図面の簡単な説明】
【図１】図１は、本発明に係るかつらの要部裏面図である。
【図２】図２は、同かつらに使用する止着部材の一実施例を示す平面図である。
【図３】図３は、かつら用止着部材をかつらに取り付けた状態を示す要部拡大図である。
【図４】図４は、かつら用止着部材と係止孔との寸法関係を示す説明図である。
【図５】図５は、かつら裏面におけるかつら用止着部材と係止孔との関係を示す断面図である。
【図６】図６は、かつら用止着部材をかつら内面のネットに取り付け場合を示す要部裏面図である。
【図７】図７は、かつら用止着部材とネットの関係を示す要部拡大図である。
【符号の説明】
９        かつら用止着部材
１０        枠体
１０ａ      コ字状の薄板
１０ｂ      細幅片
１１        櫛歯状部材
１２        円形状突起
１２ａ      首部
１３        加締め
１４        かつら本体
１５        止着孔
１６        ネット
【図１】
0003543301.tif 000002
【図２】
0003543301.tif 000003
【図３】
0003543301.tif 000004
【図４】
0003543301.tif 000005
【図５】
0003543301.tif 000006
【図６】
0003543301.tif 000007
【図７】
0003543301.tif 000008